(57)【要約】【課題】洗い場を加熱する電気ヒータと換気扇とを連動運転させることで浴室下方と上方から同時にしかも効率良く乾燥させる。【解決手段】浴室３の洗い場６の少なくとも一部を加熱する電気ヒータ５と浴室３を換気する換気扇４と前記電気ヒータ５と前記換気扇４とを少なくとも連動運転させる操作部７とを備えた浴室乾燥システム。【選択図】  図１
2005021375.tif 000002
【特許請求の範囲】
【請求項１】
浴室の洗い場の少なくとも一部を加熱する電気ヒータと浴室を換気する換気扇と前記電気ヒータと前記換気扇とを少なくとも連動運転させる操作部とを備えた浴室乾燥システム。
【請求項２】
前記操作部にタイマー制御部を設けた請求項１記載の浴室乾燥システム。
【請求項３】
前記操作部に電気ヒータの強弱切替機能と前記換気扇の強弱運転切替機能を備えた請求項１または２記載の浴室乾燥システム。
【請求項４】
前記電気ヒータは主発熱線と補助発熱線とを２重巻きしたチュービングヒータとし、換気扇との連動運転時は補助発熱線のみを通電する請求項１〜３記載の浴室乾燥システム。
【発明の詳細な説明】
【０００１】
【発明の属する技術分野】
本発明は電気ヒータと換気扇を利用した浴室乾燥システムに関するものである。
【０００２】
【従来の技術】
従来、この種の浴室乾燥システムは、天井に設置した浴室換気乾燥機で浴室全体を乾燥させている（例えば、特許文献１参照）。
【０００３】
図７は、従来の浴室乾燥システムを示すものである。図７において、１は浴室、２は浴室換気乾燥機である。
【０００４】
【特許文献１】
特開平６−１４２３９７号公報
【０００５】
【発明が解決しようとする課題】
しかしながら、前記従来の構成では、天井に設置した浴室換気乾燥機のみで浴室全体を乾燥させていたため、浴室上方は乾きやすいが浴室下方になるほど乾きが遅いという課題を有していた。
【０００６】
本発明は、前記従来の課題を解決するもので、洗い場を加熱する電気ヒータと換気扇とを連動運転させることで浴室内を乾燥させるとした浴室乾燥システムを提供することを目的とする。
【０００７】
【課題を解決するための手段】
前記従来の課題を解決するために、本発明の浴室乾燥システムは、浴室の洗い場の少なくとも一部を加熱する電気ヒータと浴室を換気する換気扇と前記電気ヒータと前記換気扇とを少なくとも連動運転させる操作部とを備えた浴室乾燥システムとしたものである。
【０００８】
これによって、操作部で洗い場を加熱する電気ヒータと換気扇とを連動運転させることで電気ヒータの輻射熱で洗い場下方からと浴室天井に設置した換気扇で洗い場上方からとで浴室を上下方向から同時に乾燥させる。
【０００９】
【発明の実施の形態】
請求項１に記載の発明は浴室の洗い場の少なくとも一部を加熱する電気ヒータと浴室を換気する換気扇と前記電気ヒータと前記換気扇とを少なくとも連動運転させる操作部とを備えた浴室乾燥システムとすることにより、操作部で洗い場を加熱する電気ヒータと換気扇とを連動運転させることで電気ヒータの輻射熱で洗い場下方からと浴室天井に設置した換気扇で洗い場上方からとで浴室を上下方向から同時に乾燥させることで浴室全体を均一に乾燥させることができ、効率良く乾燥させることでランニングコストも抑えることができる。
【００１０】
請求項２に記載の発明は前記操作部にタイマー制御部を設けた請求項１記載の浴室乾燥システムとすることにより、操作部に設けたタイマー制御部で運転開始時間及び運転終了時間を設定すると電気ヒータと換気扇とが決められた時間で運転及び停止させることで時間管理ができ生活パターンに合わせた運転が可能となる。
【００１１】
請求項３に記載の発明は前記操作部に電気ヒータの強弱切替機能と前記換気扇の強弱運転切替機能を備えた請求項１または２記載の浴室乾燥システムとすることにより、運転時、電気ヒータの強弱と換気扇の強弱を制御することで浴室環境にあった乾燥を実現することができる。
【００１２】
請求項４に記載の発明は前記電気ヒータは主発熱線と補助発熱線とを２重巻きしたチュービングヒータとし、換気扇との連動運転時は補助発熱線のみを通電する請求項１〜３記載の浴室乾燥システムとすることにより、換気扇との連動運転時は電気ヒータの補助発熱線のみを通電することでランニングコストを更に抑えることができる。
【００１３】
【実施例】
以下本発明の実施例について、図面を参照しながら説明する。
【００１４】
（実施例１）
図１は、本発明の実施例１における浴室乾燥システムの構成図であり、図２は概略ブロック配線図である。
【００１５】
図１において、浴室３の天井部に換気扇４が設置してあり、浴室３の洗い場６の中に電気ヒータ５を埋設している。また浴室外には換気扇４と電気ヒータ５を単独でＯＮ／ＯＦＦできる脱衣室スイッチ８と換気扇４及び電気ヒータ５を連動運転できる操作部７を設置している。
【００１６】
図２において、換気扇４及び電気ヒータ５は脱衣室スイッチ８による単独スイッチと操作部７を介して１００Ｖ線と結線している。
【００１７】
以上のように構成された浴室乾燥システムについて、以下その動作、作用を説明する。
【００１８】
まず、入浴中には洗い場６の冷たさを解消するため洗い場６の電気ヒータ５を床暖房として脱衣室スイッチ８の単独スイッチにてＯＮ／ＯＦＦする。また、入浴中の浴室内の換気をしたい場合は換気扇４を脱衣室スイッチ８の単独スイッチにてＯＮ／ＯＦＦさせる。入浴後、浴室外に設置した操作部７をＯＮすることで浴室天井に設置した換気扇４と洗い場６の中の電気ヒータ５を連動通電させる。
【００１９】
以上のように、入浴後に換気扇４と電気ヒータ５を連動運転することで電気ヒータ５の輻射熱で洗い場下方からと浴室天井に設置した換気扇４で洗い場上方からとで浴室を上下方向から同時に乾燥させることで浴室全体を均一に乾燥させることができ、効率良く乾燥させることでランニングコストも抑えることができる。
【００２０】
なお、本実施例においては浴室外に操作部７を設置したが、浴室内に操作部７を設置し入浴中に浴室内から操作することができるようにしてもよく、さらに電気ヒータ５を洗い場の中ではなく、安全性の高い洗い場裏面からの暖房としてもよい。
【００２１】
（実施例２）
図３は、本発明の実施例２における浴室乾燥システムの概略ブロック配線図である。
【００２２】
図３において、操作部７にタイマー制御部９を設けている。
【００２３】
以上のように構成された浴室乾燥システムについて、以下その動作、作用を説明する。
【００２４】
入浴後、操作部７にて運転開始時間及び運転終了時間を設定すると電気ヒータ５と換気扇４とが決められた時間で運転及び停止する。
【００２５】
以上のように、タイマー制御部９にて時間を設定することで決められた時間にＯＮ／ＯＦＦさせる時間管理ができ生活パターンに合わせた運転が可能となる。
【００２６】
なお、本実施例においてはタイマー設定を運転開始時間及び運転終了時間を設定できる操作部７としたが、連動運転を決められた時間の間のみ設定運転できるタイマースイッチとしてもよい。
【００２７】
（実施例３）
図４は、本発明の実施例３における浴室乾燥システムの概略ブロック配線図である。
【００２８】
図４において、操作部７に換気扇４の運転を制御できる換気扇強弱運転切替機能１０と電気ヒータ５の運転を制御できる電気ヒータ強弱切替機能１１を設けている。
【００２９】
以上のように構成された浴室乾燥システムについて、以下その動作、作用を説明する。
【００３０】
入浴後、連動運転開始直後は換気扇４、電気ヒータ５とも１００％で運転し、１時間毎に１０％ずつ出力をダウンさせていく。タイマー制御部９にて時間設定を行ない、決められた時間で停止させる。
【００３１】
以上のように、運転時、電気ヒータ５の強弱と換気扇４の強弱を制御することで浴室環境にあった乾燥を実現することができる。
【００３２】
（実施例４）
図５は、本発明の実施例４における電気ヒータ構成図であり、図６は概略ブロック配線図である。
【００３３】
図５において、チュービングヒータ１４には補助発熱線１３を内巻、主発熱線１２を外巻にして絶縁被覆にて絶縁している。また補助発熱線１３の電力量は主発熱線１２の電力量の１／５〜１／３にしている。
【００３４】
図６において、電気ヒータ５の主発熱線１２は単独でＯＮ／ＯＦＦできる脱衣室スイッチ８と補助発熱線１３は操作部７に接続している。
【００３５】
以上のように構成された浴室乾燥システムについて、以下その動作、作用を説明する。
【００３６】
入浴中の洗い場の冷たさを解消するための床暖房としては脱衣室スイッチ８のＯＮ／ＯＦＦにて電気ヒータ５の主発熱線１２のみに通電を行ない採暖する。入浴後は、操作部７にて電気ヒータ５の補助発熱線１３と換気扇４とを連動運転させる。
【００３７】
以上のように、床暖房としての主発熱線１２と入浴後の補助発熱線１３とを使い分けることによりランニングコストを更に抑えることができる。
【００３８】
なお、実施例１〜４において、洗い場６表面に親水性の塗料等による親水性処理を施すことにより、洗い場６表面に残る水の膜厚を薄くすることにより、より乾燥スピードを高めることが可能であり、また、洗い場６表面を撥水性の塗料等により撥水性処理を施すことで洗い場６表面に残る残水量を少なくすることで乾燥スピードを高めることができる。
【００３９】
【発明の効果】
以上のように、請求項１から４のいずれか一項記載の発明によれば、浴室全体を均一に乾燥させることができ、効率良く乾燥させることでランニングコストも抑えることができる。
【図面の簡単な説明】
【図１】本発明の実施例１における浴室乾燥システムの斜視図
【図２】本発明の実施例１における浴室乾燥システムの概略ブロック配線図
【図３】本発明の実施例２における浴室乾燥システムの概略ブロック配線図
【図４】本発明の実施例３における浴室乾燥システムの概略ブロック配線図
【図５】本発明の実施例４における電気ヒータ平面図
【図６】本発明の実施例４における浴室乾燥システムの概略ブロック配線図
【図７】従来の浴室乾燥システムの断面図
【符号の説明】
３  浴室
４  換気扇
５  電気ヒータ
６  洗い場
７  操作部
９  タイマー制御部
１０  換気扇強弱運転切替機能
１１  電気ヒータ強弱切替機能
１２  主発熱線
１３  補助発熱線
【図１】
2005021375.tif 000003
【図２】
2005021375.tif 000004
【図３】
2005021375.tif 000005
【図４】
2005021375.tif 000006
【図５】
2005021375.tif 000007
【図６】
2005021375.tif 000008
【図７】
2005021375.tif 000009